(57)【要約】      （修正有）【課題】育苗中の根巻きの発生を防止すると共に、培土中では根部の肥大化が発生しにくい苗の育苗方法、及び苗の生育に用いる育苗箱を提供する。【解決手段】苗トレイ１を構成する育苗容器２の下部側に下側開口部２ｂを形成し、育苗容器２の内部に投入する培土４に挿し込んだ苗Ｎの根部Ｎａが、育苗容器２及び培土４の下部側よりも下方にまで伸長可能に構成し、育苗容器２の上下長さは、育苗容器２の上側開口部２ａの一辺の長さの二倍以上とし、培土４は、土砂に繊維材を混ぜて構成し、育苗容器２は、投入された培土４の底部が下側開口部２ｂよりも上方で溜まる構成とする。【選択図】図３
2019176811.tif 000002
【特許請求の範囲】
【請求項１】
作物の苗（Ｎ）を培土（４）に挿して生育させるとき、苗（Ｎ）の根部（Ｎａ）を培土（４）の下端よりも下方まで伸長させることを特徴とする苗の生育方法。
【請求項２】
培土（４）の下端よりも下方まで伸長した苗（Ｎ）の根部（Ｎａ）は、空気に触れさせて木質化させることを特徴とする苗の生育方法。
【請求項３】
苗トレイ（１）を構成する育苗容器（２）の下部側に下側開口部（２ｂ）を形成し、該育苗容器（２）の内部に投入する培土（４）に挿し込んだ苗（Ｎ）の根部（Ｎａ）が、育苗容器（２）及び培土（４）の下部側よりも下方にまで伸長可能に構成したことを特徴とする育苗箱。
【請求項４】
前記育苗容器（２）の上下長さは、育苗容器（２）の上側開口部（２ａ）の一辺の長さの二倍以上とすることを特徴とする請求項３に記載の育苗箱。
【請求項５】
前記培土（４）は、土砂（５）に繊維材（６）を混ぜて構成し、前記育苗容器（２）は、投入された培土（４）の底部が下側開口部（２ｂ）よりも上方で溜まることを特徴とする請求項３または４に記載の育苗箱。
【請求項６】
前記培土（４）を投入して育苗用の苗（Ｎ）を差し込んだ苗トレイ（１）を支持し、前記育苗容器（２）の下側開口部（２ｂ）が育苗場所の床面から上方に離間した状態とする育苗支持枠（７）を設けることを特徴とする請求項３から５のいずれか１項に記載の育苗箱。
【発明の詳細な説明】
【技術分野】
【０００１】
この発明は、圃場に移植する苗の生育方法、及び苗の生育に用いる育苗箱に関する技術分野に属する。
【背景技術】
【０００２】
野菜移植機の苗供給テーブルから苗を落下させる際、植付に適した姿勢で苗を植付装置に投入させるべく、根部を培土内に張り巡らせて根鉢を形成させる栽培方法があるが、かんしょ等、芋類の根部を育苗する際、時間が経ち過ぎると根部が肥大化して芋になり始め、育苗ポット内での圧迫により、異形化したり、数は多くなるものの芋一つ一つの大きさが小さくなることがある。
【０００３】
芋類の苗を育苗ポットで過度に成長させることを防止すべく、先に飼料用米等の苗を育苗ポットで育てて根鉢を形成させ、根鉢になり始めた培土に芋類の苗を挿す育苗方法がある（特許文献１参照）。
【先行技術文献】
【特許文献】
【０００４】
【特許文献１】特開２０１５−１０４３５３号公報
【発明の概要】
【発明が解決しようとする課題】
【０００５】
芋類の苗の育苗期間を短くすることにより、根部が肥大化して育苗ポットに圧迫される前に圃場に移植することが可能になるので、収穫される芋がねじ曲がったり、二股などに分岐しにくく、外観の整ったものとなりやすく、商品価値の低下が防止される。
【０００６】
また、根部の圧迫により、肥大化して芋となる箇所が過度に多くなることを防止できるので、芋同士が接触し合って互いが大きくなることを妨げ合うことが防止され、収穫される芋のサイズを大きくすることが可能になる。
【０００７】
しかしながら、培土を投入して育苗を行う育苗ポットは、上部側が開口されているものの、下部側には底部が形成されており、水抜き用のスリット等があるものの、ほぼ密閉された状態である。
【０００８】
この状態で根部が培土の下方に向かって成長していくと、根部は壁面内部や底部に接触し、別の方向に向かって屈曲して成長を続ける、所謂根巻きが発生することになるが、この屈曲部分が肥大化して芋になると、収穫される芋も屈曲した異形のものとなり、商品価値が低下する問題がある。
【０００９】
異形化は、加工用であればさしたる問題はないが、外観が商品価値に繋がる生食用においては、商品価値を低下させる、あるいは商品価値のないものとなるので、大きな問題となる。
【００１０】
また、根部は培土中に存在すると基本的に成長を続けるので、苗の移植適期に植付作業ができないと培土中で肥大化が始まり、圧迫を受けた状態で圃場に植え付けられることになる。これにより、芋の異形化や、収穫される芋の大きさが小さくなる問題が発生する。
【００１１】
本発明は、育苗中の根巻きの発生を防止すると共に、培土中では根部の肥大化が発生しにくい苗の育苗方法、及び苗の生育に用いる育苗箱を提供することを課題とする。
【課題を解決するための手段】
【００１２】
上記課題を解決するために、次のような技術的手段を講じた。
【００１３】
請求項１に係る発明は、作物の苗（Ｎ)を培土（４）に挿して生育させるとき、苗（Ｎ)の根部（Ｎａ）を培土（４）の下端よりも下方まで伸長させることを特徴とする苗の生育方法とした。
【００１４】
請求項２に係る発明は培土（４）の下端よりも下方まで伸長した苗（Ｎ)の根部（Ｎａ）は、空気に触れさせて木質化させることを特徴とする苗の生育方法とした。
【００１５】
請求項３に係る発明は、苗トレイ（１）を構成する育苗容器（２）の下部側に下側開口部（２ｂ）を形成し、該育苗容器（２）の内部に投入する培土（４）に挿し込んだ苗（Ｎ）の根部（Ｎａ）が、育苗容器（２）及び培土（４）の下部側よりも下方にまで伸長可能に構成したことを特徴とする育苗箱とした。
【００１６】
請求項４にかかる発明は、前記育苗容器（２）の上下長さは、育苗容器（２）の上側開口部（２ａ）の一辺の長さの二倍以上とすることを特徴とする請求項３に記載の育苗箱とした。
【００１７】
請求項５に係る発明は、前記培土（４）は、土砂（５）に繊維材（６）を混ぜて構成し、前記育苗容器（２）は、投入された培土（４）の底部が下側開口部（２ｂ）よりも上方で溜まることを特徴とする請求項３または４に記載の育苗箱とした。
【００１８】
請求項６に係る発明は、前記培土（４）を投入して育苗用の苗（Ｎ)を差し込んだ苗トレイ（１）を支持し、前記育苗容器（２）の下側開口部（２ｂ）が育苗場所の床面から上方に離間した状態とする育苗支持枠（７）を設けることを特徴とする請求項３から５のいずれか１項に記載の育苗箱とした。
【発明の効果】
【００１９】
請求項１の発明により、培土（４）の下端よりも下方まで苗（Ｎ)の根部（Ｎａ）を伸長させることにより、根部（Ｎａ）が折れ曲がって成長する、所謂根巻きが発生することを防止できるので、根部（Ｎａ）が肥大化する際に異形となることが防止され、作物の商品価値が向上する。
【００２０】
請求項２の発明により、請求項１に記載の発明の効果に加えて、育苗する苗（Ｎ)の根部（Ｎａ）を木質化させ、肥大化して作物とならないようにすることにより、育苗中の苗（Ｎ)の根部（Ｎａ）が肥大化して作物になり始めることを防止できるので、移植後の作物の収穫時期が早まることが防止され、作物の適期の収穫が可能になる。
【００２１】
請求項３の発明により、育苗容器（２）の下部側に形成した下側開口部（２ｂ）から苗（Ｎ)の根部（Ｎａ）が下方に伸びることができるので、根部（Ｎａ）を培土（４）の下端よりも下方に伸ばすことができ、根部（Ｎａ）が折れ曲がって成長する根巻きの発生が防止される。これにより、収穫される作物が異形化することが防止され、商品価値の向上が図られる。
【００２２】
また、培土（４）から下方に伸びる根部（Ｎａ）を木質化させ、肥大化して作物になることを防止できるので、移植後の作物の収穫時期が早まることが防止され、作物の適期の収穫が可能になる。
【００２３】
請求項４の発明により、請求項３に記載の発明の効果に加えて、育苗容器（２）の上下長さを上下開口部（２ａ）の一辺の長さの二倍以上としたことにより、培土（４）を苗（Ｎ)の挿し込みに適した上下幅に亘って投入することができるので、苗（Ｎ)の生育が良好になる。
【００２４】
また、苗（Ｎ)のうち、根部（Ｎａ）になる部分を土中に埋没させることができるので、培土（４）中に根部（Ｎａ）を伸ばさせることができ、移植用の苗（Ｎ)の培土（４）部分の強度を向上させることができる。
【００２５】
請求項５の発明により、請求項３または４に記載の発明の効果に加えて、繊維材（６）で土砂（５）の下方への落下を防止できるので、下側開口部（２ｂ）の形成された育苗容器（２）内に苗（Ｎ)の根部（Ｎａ）の根巻きを防止可能な培土（４）の投入が可能となる。
【００２６】
請求項６の発明により、請求項３から５のいずれか１項に記載の発明の効果に加えて、育苗支持枠（７）で苗トレイ（１）を床面から上方に離間させた状態で支持することにより、培土（４）の底部よりも下方に伸びた苗（Ｎ)の根部（Ｎａ）が床面に接触して根巻きが生じることを防止できる。
【図面の簡単な説明】
【００２７】
【図１】苗の根部が育苗ポットの下方まで伸びることが可能な苗トレイを示す平面図
【図２】苗の根部が育苗ポットの下方まで伸びることが可能な苗トレイを示す側面図
【図３】苗の根部が育苗ポットの下方まで伸びた状態の苗トレイを示す側面図
【図４】（ａ）根鉢上の苗を示す模式図、（ｂ）木質化した根部を示す模式図、（ｃ）木質化した根部と、移植後に発生した新たな根部を示す模式図
【図５】培土の構成成分を示す模式図
【図６】育苗支持枠を示す平面図
【図７】育苗支持枠を示す側面図
【図８】育苗支持枠に支持された苗トレイを示す平面図
【図９】育苗支持枠に支持され、根部が床面から離間した状態である苗トレイを示す側面図
【図１０】（ａ）従来のかんしょ苗向けの野菜移植機での移植に適した苗を示す模式図、（ｂ）ウイルスフリー環境で育苗した苗を示す模式図
【図１１】（ａ）球状の錘体を示す正面図、（ｂ）不等円柱形の錘体を示す斜視図、（ｃ）円柱形の錘体を示す正面図
【図１２】水稲を根鉢に用いる際の育苗トレイの播種状態を示す平面図
【図１３】水稲を根鉢に用いる際の育苗トレイにかんしょ苗を挿した状態を示す側面断面図
【発明を実施するための形態】
【００２８】
この発明の実施の一形態を、以下に説明する。尚、以下の実施の形態は、あくまで実施の一形態であって、請求の範囲を拘束するものではない。
【００２９】
かんしょ等の苗Ｎを育苗する苗トレイ１は、複数の育苗ポット２を縦横に等間隔に並べて一体化したものであり、外周縁部には苗トレイ１を浮かせた状態で保持させる際に接触させる縁部３を形成する。
【００３０】
前記育苗ポット２は、図１から図３に示すとおり、上端部に四角形、例えば正方形の上側開口部２ａを有すると共に、下端部に上側開口部２ａよりも縦横辺の短い、言い換えれば面積の小さい下側開口部２ｂを形成する中空構造であり、上下間には下側に向かうほど育苗ポット２の中心点、即ち上側開口部２ａ及び下側開口部２ｂの対角線の交点の中心に向かう姿勢のポット壁部２ｃを縦横に計四面形成して構成する。即ち、育苗ポット２は、下部側が上部側に比べて断面積が小さくなる、四角錐形状となる。このとき、育苗ポット２の上側開口部２ａの上端仮想辺２ｘとポット壁部２ｃが形成する角度は、７５度以上とすると、苗Ｎの根部Ｎａと後述の培土４で形成する根鉢の形状を、野菜移植機の植付装置の形状に合わせて植付精度を向上させ得るものとすることができる。
【００３１】
なお、苗トレイ１は、主に合成樹脂を金型で成型して作成するものであるが、育苗ポット２を複数作成して連結したものでも、一つの材料から複数の育苗ポット２が形成される構成としたものでもよい。
【００３２】
上記により、複数の育苗ポット２は上下方向に貫通した構造となる。かんしょの苗Ｎを育苗するときは、図３及び図８で示すとおり、この育苗ポット２の上下間のうち、少なくとも下側開口部２ｂから所定長さ（例：５〜１０ｍｍ）に亘っては培土４が無い状態とし、この培土４にかんしょの茎部を所定数の節ごとに切り分けて作成する苗Ｎの一部を差し込み、灌水しながら成長させる。
【００３３】
培土４に差し込まれた部分からは根部Ｎａが発生し、周辺の培土４を押し分け、あるいは培土４の粒子同士の隙間を通過して伸長し、培土４内に複雑に根部Ｎａが絡み合うことで、図４（ａ）に示す根鉢を形成する。これにより、苗Ｎの下部側に重量が集中するので、野菜移植機の苗供給装置から植付装置に苗Ｎを移動させる際、ある程度の落下速度を確保できると共に、根部Ｎａが下側に位置する姿勢を維持できるので、植付精度が向上すると共に、植付後の生育が良好になる。
【００３４】
一方、苗Ｎのうち培土４に接していない部分は、成長するにつれて節の継ぎ目、及び頂部から葉部Ｎｂが発生する。
【００３５】
上記の育苗ポット２の下部には、下側開口部２ｂを形成していることにより、図３に示すとおり、培土４の底部の空間部には、成長した苗Ｎの根部Ｎａが伸びていく。この根部Ｎａは育苗ポット２と接触して曲げられることが殆どないので、下方に向かってほぼ真っ直ぐに伸びる。したがって、根部Ｎａが根巻きすることが防止され、成長して収穫されるかんしょの形状を安定させることができる。
【００３６】
根部Ｎａが根巻きした状態で肥大、成長すると、かんしょが細長く曲がった形状や、捻れた形状になりやすく、見た目の悪さや、皮の除去のし辛さにより、商品価値が低下する問題があるが、本願の苗は根部Ｎａが根巻きしにくいことにより、この問題の発生が生じにくい。もっとも、かんしょが異形化する可能性は栽培する場所の環境にも影響するので、圃場の土質や苗Ｎの植付方にも注意する必要がある。
【００３７】
また、上記の根部Ｎａのうち、培土４から下方に向かって伸びて空気中に露出する部分は、空気と触れ続ける。すると、図４（ｂ）に示すとおり、根部Ｎａはこの部分から木質化し、伸長が停止すると共に、かんしょを形成し得ない状態となる。しかしながら、木質化部分は新たな根部Ｎａを生やす性質を失ってはいないので、図４（ｃ）に示すとおり、移植後に土中で新たな根を伸ばし、肥大化してかんしょとなることができる。
【００３８】
これにより、育苗ポット２内で成長して密集すると共に木質化した根部Ｎａではなく、木質化した根部Ｎａから土中に自在に生える新たな根部Ｎｃを成長させてかんしょとすることができるので、かんしょの形状を商品価値が高い整った形状とすると共に、かんしょ同士が土中で密集しにくくなることで、かんしょの大きさを大きくすることができ、いっそうの商品価値の向上を図ることができる。
【００３９】
なお、この苗トレイ１に育苗用の培土４を投入する際、粒子の細かい砂質だけでは培土４が蓄積しなくなる。また、灌水用の水が下側開口部２ｂから流出する際、砂質が共に流出し、培土４が不足して苗Ｎが生育不良を起こすことや、苗Ｎの下部側の重量を重くして野菜移植機を用いた植付作業に適した苗にならなくなるおそれがある。
【００４０】
この問題を防止すべく、培土４は、図５に示すとおり、川土や山土等の土砂５に、ピートモス６ａやヤシガラ６ｂ等、原料であるコケ類やヤシ等に由来する長い繊維質からなる繊維材６を混入させて構成する。
【００４１】
これにより、ある程度の量の培土４を育苗ポット２に投入すると、育苗ポット２内に培土４を溜まらせつつ、下側開口部２ｂ側には空間部を形成することができるので、挿し込んだ苗Ｎの生育が安定すると共に、苗Ｎの根部Ｎａを根巻きさせず、且つ空気に触れさせて木質化を促すことができる。
【００４２】
なお、繊維材６の長さは、上側開口部２ａの一辺の長さよりも短く、且つ下側開口部２ｂの一辺の長さよりも長くすると、育苗ポット２内に培土４が溜まりやすくなる。また、苗Ｎの根部Ｎａと培土４が形成する根鉢を上下に長く形成すべく、育苗ポット２の上下長さは、上側開口部２ａの一辺の長さの２倍以上とすると、根鉢を十分に重くして苗Ｎの下部側に重心を位置させ、野菜移植機の苗供給テーブルから落下して植付装置に移動する苗Ｎの姿勢が落下中に変わり難い構成とする。
【００４３】
但し、繊維材６を過剰に混入すると、培土４の土質が不足し、苗Ｎの成長に必要な養分を確保できなくなるので、繊維材６の混合量は重量比において３０％未満とすることが望ましい。
【００４４】
上記にて、育苗ポット２の下部に下側開口部２ｂを形成したことにより、根部Ｎａの根巻きによる異形のかんしょの発生を防止することができるが、この効果を得るためには、少なくとも苗Ｎが野菜移植機を用いて移植可能な段階に成長するまで、苗トレイ１、即ち各育苗ポット２の底部が地面に接触しない状態を維持し続ける必要がある。
【００４５】
これを実現すべく、図６から図９に示すとおり、苗Ｎの育苗中の各育苗ポット２の、少なくとも前後または左右のどちらか一方の間に入り込み、各育苗ポット２の底部、即ち下側開口部２ｂの下方が接地しない状態で支持する支持バー７ａを複数有する、育苗支持枠７を用意する。
【００４６】
この育苗支持枠７は、外枠７ｂの内部に支持バー７ａを縦方向、横方向、あるいは縦横に、育苗ポット２同士の間に進入可能な位置に配置して構成する。育苗支持枠７は、壁面や支柱等のある程度の高さの位置に固定しておき、苗トレイ１の各育苗ポット２の底部側が接地しない高さで載置される構成とするとよい。
【００４７】
あるいは、育苗支持枠７の四隅、及び四隅の間に複数の支持脚７ｃを設け、床面にこの支持脚７ｃを接地させた状態で育苗支持枠７を積載すると、苗トレイ１の各育苗ポット２の底部側が接地しない高さで載置される構成としてもよい。
【００４８】
上記により、苗Ｎの根部Ｎａが根巻きすることが防止され、根部Ｎａが肥大化して異形のかんしょとなることが防止されると共に、根部Ｎａを確実に木質化させ、苗Ｎの植付前に根部Ｎａが肥大化し始め、植付に適さない苗Ｎとなることが防止される。
【００４９】
なお、培土４に挿し込む苗は、少なくとも茎の一節Ｐを培土４内に入り込ませ、根部Ｎａが発生する部分から同時に葉部Ｎｂが発生することを防止する。根部Ｎａと葉部Ｎｂの発生位置が同一の節からとなると、苗Ｎを深く植え付けにくくなると共に、相互の生長に養分を取り合い、生育不良が生じる恐れがあるが、上記の植付方により、この問題の発生が防止される。
【００５０】
上記の苗は、葉部Ｎｂの付け根と茎の間に腋芽が発生する前に圃場に移植することが望ましい。この腋芽が発生すると、茎からは不定根が同時に発生し始めるが、この不定根は肥大化するとかんしょになることができるものである。したがっれ、余分なかんしょが発生して各かんしょの生育スペースが狭まると、商品価値のあるかんしょの個数が減少するおそれがある。
【００５１】
従来のかんしょの移植機での植付に適した苗Ｎは、種イモに苗を発生させ、そこから採苗するものである。こうして得られた苗は、図１０（ａ）に示すとおり、茎が細めであり、葉部Ｎｂは茎から離れた位置に集まる傾向にあり、葉部Ｎｂの生えていない側を植付挟持体で掴んで土中に入り込ませやすく、作業能率を向上させるものである。この苗から得られるかんしょは、サイズが小さくなりやすく、生食よりも菓子や酒造等の加工用に主に用いられる。
【００５２】
一方、本願で示すかんしょの苗は、種イモから直接採苗するものではなく、ウイルスフリー環境で採苗用に育苗した苗を数節ごとに切り分けたものである。図１０（ｂ）に示すとおり、この苗は、狭く太い茎の節ごとに葉部Ｎｂが発生しており、茎の長辺方向に葉部Ｎｂが並ぶ、ごわごわとした苗である。この苗は、切り分けた後すぐに植え付けることが可能であり、移植された土中で根部Ｎａが発生する。
【００５３】
しかしながら、上記の苗は、葉部Ｎｂ同士の間隔が短く、根部Ｎａが発生する部分と葉部Ｎｂの間隔も同様に短く、従来のかんしょ移植機の植付挟持体では苗Ｎを掴みにくく、また掴めても葉部Ｎｂが土中に入り込ませることなく根部Ｎａだけを土中に入り込ませる軌跡を描かせることが難しい。
【００５４】
従来のかんしょ移植機に変えて、レタスやだいこん等の苗を植付装置で植え付ける野菜移植機で移植する場合、根部Ｎａが発生する側とは反対側の方が葉部Ｎｂの重量で重くなるので、植付ホッパに苗Ｎが入り込む姿勢が不安定になり、根部Ｎａが土中に植え付けられなくなる恐れがある。
【００５５】
この問題を解消するには、根部Ｎａが発生する側に培土４等に相当する重量を付与する必要がある。一例として、根部Ｎａ側に一番近い節及び葉柄の基部を挟み込んで苗Ｎに装着する、図１１に示す錘体８を設けることが考えられる。この錘体８があることにより、苗供給装置から落下する苗は根部Ｎａ側から植付装置に投入されるので、確実に根部Ｎａ側が土中に入り込み、肥大化した根部Ｎａをかんしょとすることができる。
【００５６】
このとき、錘体８が土中に残るものであると、かんしょの収穫時に収穫を妨げたり、かんしょに接触して傷付けたりする原因となり得る。また、根部Ｎａ近くに錘体８が残っていると、根部Ｎａが錘体８に接触して根巻きが生じ、異形のかんしょに成長することおそれがある。
【００５７】
これを防止すべく、錘体８は、例えば土壌内の細菌や、水や空気との化学変化で分解され、時間経過により分解、及び土中で養分となり、根部Ｎａが吸収することが可能な有機質で形成する固形物で構成するとよい。
【００５８】
錘体８を構成する材料の一例として、デンプンやカゼイン等を原料とする生分解性プラスチック、泥炭化した苔等を乾燥させたピートモス、ヤシガラ等の生分解性素材を用いることが考えられる。これらの素材で構成することにより、錘体８は土中で自然分解され、養分としてかんしょの苗Ｎの生育に活用されるので、収穫作業時にかんしょを傷付けることが防止されると共に、初期の生育時の肥料として機能させることができる。
【００５９】
但し、複数の素材を混合して錘体８を形成すると、錘体８の重量に偏りが生じて苗Ｎの落下時の姿勢が不安定になるおそれがあるので、錘体８を構成する素材は、単一のものとすることが望ましい。
【００６０】
上記の生分解性素材は、時間経過で土中に混ざり込んで養分となり、環境負荷が小さいものの、圃場の環境によっては分解が遅く、収穫作業時に分解され切っていないと、かんしょを傷付けるおそれがある。
【００６１】
そこで、確実に錘体８が分解、吸収されて植付後に短時間で消失するように、錘体８を化学肥料のカプセルで構成するとよい。
【００６２】
これにより、土中の水分等の影響で錘体８は速やかに養分として溶出し、苗から発生する根部Ｎａに吸収されるので、かんしょの収穫適期には消費され尽くしており、かんしょを傷付けることが防止される。
【００６３】
しかしながら、かんしょの栽培者によっては、化学肥料を使用したくないというケースも考えられる。このときは、有機質をペレット状に形成したもので、錘体８を構成するとよい。
【００６４】
いずれにせよ、錘体８の形状は、図１１に示すとおり、球形、立方体、あるいは円柱形に形成すると共に、苗Ｎを差し込むための貫通孔が形成されるものとする。この貫通孔を通して苗Ｎを根部Ｎａ側から差し込み、根部Ｎａに最も近い節と葉部Ｎｂの葉柄が挟み込まれると共に、根部Ｎａが発生する部分を錘体８で覆わないように取り付ける。
【００６５】
これにより、苗Ｎの根部Ｎａが発生する側に重量が集中するので、苗Ｎを落下させた際に錘体８側を下方として苗が落下するので、野菜移植機での圃場への植付作業に適した苗Ｎとすることができる。
【００６６】
また、錘体８が根部Ｎａの発生や成長を阻害しないので、かんしょの生育不良や異形化が防止される。
【００６７】
次に、かんしょの苗Ｎを苗トレイ１で栽培する際、根巻きが発生する前に、根鉢の強度を十分に確保することが可能な育苗方法について説明する。
【００６８】
図１２に示すとおり、苗トレイ１に培土４を覆土し、この培土に飼料用米等の水稲の籾９を、育苗ポット２に四粒以上が平均的に入るように播種し、水稲の苗ＲＮを先に栽培する。この籾９の播種作業は、かんしょの苗Ｎを苗トレイに挿して育苗を開始する三週間以上前に行うものとする。
【００６９】
なお、上記の育苗ポット２は、上記の底部が開口されたものを用いても良いが、開口されてない従来のものでも問題はない。
【００７０】
これにより、図１３に示すとおり、かんしょの根部Ｎａよりも細く、且つ成長してもあまり肥大しない水稲の苗ＲＮの根部ＲＮａを培土４内に先に張らせて根鉢の形成に活用することができるので、かんしょを挿してから野菜移植機での移植に適した強度の根鉢となるまでの期間を短縮することができ、育苗ポット２の底部附近で根巻きが発生する前に移植作業を行うことができる。
【００７１】
また、かんしょと共に飼料用米を少量であっても栽培することができるので、一つの圃場で二種類の作物を収穫することができる。
【００７２】
しかしながら、播種した水稲の苗ＲＮを全て生育させると、培土４や圃場の養分をかんしょと取り合うことになり、かんしょの生育を妨げると共に、収穫されるかんしょのサイズを小さくしてしまうことになる。
【００７３】
これを防止すべく、かんしょの苗Ｎを育苗ポット２に挿す直前の段階で、苗トレイ１にイネ科の植物に対応する除草剤を散布する。かんしょはヒルガオ科の植物であるので、除草剤の影響を受けないが、水稲の苗ＲＮは枯れることになる。但し、水稲の苗ＲＮが全て枯れてしまうと、水稲の収穫ができなくなるので、除草剤は、水稲の苗ＲＮの５０〜８０％が枯死する濃度または量に設定する、あるいは範囲に散布するものとする。
【００７４】
これにより、培土４や圃場の養分を取り合ってもかんしょが十分な大きさに肥大化することができるので、収穫されるかんしょの品質が高く、商品価値が向上する。なお、同時に栽培する水稲を飼料用米のものとすることにより、食味が低くても商品価値に影響が生じにくい。
【００７５】
上記の水稲の苗ＲＮの籾９は、密集して播種されると根が細くなりやすく、根鉢の強度が不足したり、培土４への活着が悪く、生育不良を起こす恐れがある。
【００７６】
この問題を防止すべく、燐Ｐの濃度が１７％前後の過リン酸石灰を、培土４の１リットル当たり３０〜１００ｇ添加すると、細い根部Ｎａが密集していても、養分であるリン酸を十分に供給することができるので、培土４内での根部Ｎａの活着が向上し、根鉢の強度を野菜移植機での移植に適したものとすることができる。
【符号の説明】
【００７７】
１  苗トレイ
２  育苗ポット（育苗容器）
２ａ  上側開口部
２ｂ  下側開口部
４  培土
５  土砂
６  繊維材
７  育苗支持枠
Ｎ  苗
Ｎａ  根部
【図１】
2019176811.tif 000003
【図２】
2019176811.tif 000004
【図３】
2019176811.tif 000005
【図４】
2019176811.tif 000006
【図５】
2019176811.tif 000007
【図６】
2019176811.tif 000008
【図７】
2019176811.tif 000009
【図８】
2019176811.tif 000010
【図９】
2019176811.tif 000011
【図１０】
2019176811.tif 000012
【図１１】
2019176811.tif 000013
【図１２】
2019176811.tif 000014
【図１３】
2019176811.tif 000015